【手続補正書】
【提出日】平成18年11月2日(2006.11.2)
【手続補正１】
【補正対象書類名】特許請求の範囲
【補正対象項目名】全文
【補正方法】変更
【補正の内容】
【特許請求の範囲】
【請求項１】
外部機器を接続する接続部と、
記録されるべき画像または記録された画像を使用者が覗き見ることができる電子ビューファインダと、
記録されるべき画像または記録された画像を外部から見ることができる表示装置と、
前記接続部を介して画像を送信するための転送モードを含む複数のモードを有し、前記転送モードへ移行したとき、前記電子ビューファインダに表示をしている場合、前記電子ビューファインダから前記表示装置にその表示を切り替えるよう制御する制御部と、
を備えるデジタルスチルカメラ。
【請求項２】
前記接続部に前記外部機器が接続されたこと、または接続が解除されたことを検出する接続検出部をさらに備え、
前記制御部は、前記接続検出部により前記接続が検出されたとき、前記転送モードに移行する、
請求項１に記載のデジタルスチルカメラ。
【請求項３】
前記複数のモードのうちいずれかを選択的に設定するためのモード操作部をさらに備え、
前記モード操作部は、画像を記録するための記録モードを設定可能であり、
前記制御部は、前記モード操作部が前記記録モードを設定している場合であっても、前記接続検出部により前記接続が検出されたとき、前記転送モードに移行する、
請求項２に記載のデジタルスチルカメラ。
【手続補正２】
【補正対象書類名】明細書
【補正対象項目名】発明の名称
【補正方法】変更
【補正の内容】
【発明の名称】デジタルスチルカメラ
【手続補正３】
【補正対象書類名】明細書
【補正対象項目名】０００１
【補正方法】変更
【補正の内容】
【０００１】
本発明は、デジタルスチルカメラに関する。
【手続補正４】
【補正対象書類名】明細書
【補正対象項目名】０００６
【補正方法】変更
【補正の内容】
【０００６】
また、記録された画像を保存するための媒体として、ＤＳＣ本体から脱着可能なメモリーカードが装備され、このメモリーカードの挿入口には、開閉可能な扉が設けられていた。このメモリーカードには、記録された画像とともに、上記のＤＰＯＦ（Ｄｉｇｉｔａｌ  Ｐｒｉｎｔ  Ｏｒｄｅｒ  Ｆｏｒｍａｔ）情報が記録されていた。そして、メモリーカードを交換するためには、上記挿入口から使用済みのメモリーカードを取り出し、新たなメモリーカードを挿入していた。
【手続補正５】
【補正対象書類名】明細書
【補正対象項目名】００１５
【補正方法】変更
【補正の内容】
【００１５】
上記課題を鑑みて、本発明は、外部機器が接続されたときのＤＳＣにおける使い勝手を良くすることができる、ＤＳＣを提供することを目的とする。
【手続補正６】
【補正対象書類名】明細書
【補正対象項目名】００１６
【補正方法】変更
【補正の内容】
【００１６】
また、本発明は、外部機器を接続した際に、外部機器における操作を削減することができる、ＤＳＣを提供することを目的とする。
【手続補正７】
【補正対象書類名】明細書
【補正対象項目名】００１７
【補正方法】変更
【補正の内容】
【００１７】
また、本発明は、ＤＰＯＦモードなどの一括印刷モードにおいて、プリンタにおける印刷の進捗状況を表示させることができるＤＳＣを提供することを目的とする。
【手続補正８】
【補正対象書類名】明細書
【補正対象項目名】００１８
【補正方法】変更
【補正の内容】
【００１８】
また、本発明は、接続されているパソコンから時間的に離散したデータブロックが転送されているときに、誤って接続を解除する可能性が低いＤＳＣを提供することを目的する。
【手続補正９】
【補正対象書類名】明細書
【補正対象項目名】００１９
【補正方法】変更
【補正の内容】
【００１９】
上記課題を解決するために、
第１の本発明は、外部機器を接続する接続部と、
記録されるべき画像または記録された画像を使用者が覗き見ることができる電子ビューファインダと、
記録されるべき画像または記録された画像を外部から見ることができる表示装置と、
前記接続部を介して画像を送信するための転送モードを含む複数のモードを有し、前記転送モードへ移行したとき、前記電子ビューファインダに表示をしている場合、前記電子ビューファインダから前記表示装置にその表示を切り替えるよう制御する制御部と、
を備えるデジタルスチルカメラである。
第２の本発明は、前記接続部に前記外部機器が接続されたこと、または接続が解除されたことを検出する接続検出部をさらに備え、
前記制御部は、前記接続検出部により前記接続が検出されたとき、前記転送モードに移行する、
第１の本発明のデジタルスチルカメラである。
第３の本発明は、前記複数のモードのうちいずれかを選択的に設定するためのモード操作部をさらに備え、
前記モード操作部は、画像を記録するための記録モードを設定可能であり、
前記制御部は、前記モード操作部が前記記録モードを設定している場合であっても、前記接続検出部により前記接続が検出されたとき、前記転送モードに移行する、
第２の本発明のデジタルスチルカメラである。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】変更
【補正の内容】
【００３５】
本発明によれば、外部機器が接続されたときのＤＳＣにおける使い勝手を良くすることができる、ＤＳＣを提供することができる。
【手続補正２６】
【補正対象書類名】明細書
【補正対象項目名】００３６
【補正方法】変更
【補正の内容】
【００３６】
また、本発明によれば、外部機器を接続した際に、外部機器における操作を削減することができる、ＤＳＣを提供することができる。
【手続補正２７】
【補正対象書類名】明細書
【補正対象項目名】００３７
【補正方法】変更
【補正の内容】
【００３７】
また、本発明によれば、ＤＰＯＦモードなどの一括印刷モードにおいて、プリンタにおける印刷の進捗状況を表示させることができるＤＳＣを提供することができる。
【手続補正２８】
【補正対象書類名】明細書
【補正対象項目名】００３８
【補正方法】変更
【補正の内容】
【００３８】
また、本発明によれば、接続されているパソコンから時間的に離散したデータブロックが転送されているときに、誤って接続を解除する可能性が低いＤＳＣを提供することができる。
【手続補正２９】
【補正対象書類名】明細書
【補正対象項目名】０１１９
【補正方法】変更
【補正の内容】
【０１１９】
本発明にかかるデジタルスチルカメラによると、外部機器が接続されたときのデジタルスチルカメラにおける使い勝手を良くすることができ、デジタルスチルカメラ等として有用である。